(57)【要約】  非等厚光学レンズの設計方法であって、以下のステップを含む。（１）光学ソフトウェアにレンズモデルを構築する。（２）レンズモデルに照射される入射光線をシミュレーションし、入射光線が出射光線と平行であるかを比較する。（３）平行であれば、このレンズの入射面および出射面の曲率と厚さとを記録し、仮レンズ完成品を作成し、平行でない場合、レンズモデルの入射面と出射面との間の厚さを調整して平行になるようにし、この際のこの入射面および出射面の曲率と厚さとを記録し、仮レンズ完成品を作成する。（４）仮完成品が合格品かどうかを検査し、合格でなければステップ（２）に戻って繰り返す。本方法で作製したレンズは、収差の低減を可能にして、画像が鮮明であり、さらに、長時間使用してもめまいがしない。【選択図】図１
2021504764.tif 000002
【特許請求の範囲】
【請求項１】
非等厚光学レンズの設計方法であって、
ステップＳ１：光学ソフトウェアにレンズモデルを構築し、前記レンズモデルの大きさを決定し、前記レンズモデルの入射面および出射面の曲率に基づいて前記レンズモデルの所定の厚さを決定することと、
ステップＳ２：前記レンズモデルの入射面から入射して前記レンズモデルの出射面から出射される入射光線をシミュレーションし、入射光線が出射光線と平行であるかを比較することと、
ステップＳ３：前記入射光線が前記出射光線と平行である場合、このレンズの入射面および出射面の曲率と厚さとを記録し、仮レンズ完成品を作成し、前記入射光線が前記出射光線と平行でない場合、前記レンズモデルの入射面と出射面との間の厚さを調整して、前記入射光線が前記出射光線と平行になるようにし、この際のこの入射面および出射面の曲率と厚さとを記録し、仮レンズ完成品を作成することと、
ステップＳ４：光源と受信スクリーンを設置し、光源をオンにし、前記受信スクリーンを前記光源から異なる距離の箇所に置き、受信スクリーンでの光線の位置およびサイズを記録し、前記位置およびサイズが一定であることを確認し、前記仮レンズ完成品を前記光源と受信スクリーンとの間に置き、光源をオンにし、前記受信スクリーンを前記光源から異なる距離の箇所に置き、受信スクリーンでの光線の位置およびサイズを記録して、位置およびサイズが一定であれば、前記仮レンズ完成品をレンズ完成品とし、位置およびサイズが変化すれば、ステップＳ２に戻り、最後に前記仮レンズ完成品を前記光源と受信スクリーンとの間に置いて、受信スクリーンでの光線の位置およびサイズが一定を保つまで、ステップＳ２およびＳ３を繰り返すことと、
を含むことを特徴とする、非等厚光学レンズの設計方法。
【請求項２】
前記ステップＳ４において、前記光源は、平行光源であり、前記入射光線は、平行光線であることを特徴とする、請求項１に記載の非等厚光学レンズの設計方法。
【請求項３】
Ｓ３において得られた前記仮レンズ完成品は、レンズ中心部とレンズ周辺部を有し、前記仮レンズ完成品の曲率半径は、前記レンズ中心部から前記レンズ周辺部まで徐々に増加することを特徴とする、請求項１に記載の非等厚光学レンズの設計方法。
【請求項４】
Ｓ３において得られた前記仮レンズ完成品用の材質は、プラスチックまたはガラスであることを特徴とする、請求項３に記載の非等厚光学レンズの設計方法。
【請求項５】
前記レンズは、非球面レンズであり、前記非球面レンズは、半楕円形、台形の脚が弧状に変形した形状、矩形であることを特徴とする、請求項３に記載の非等厚光学レンズの設計方法。
【請求項６】
光学ソフトウェアにおける最後に作成されたレンズ完成品のモデルに基づいて、当該レンズの最後の完成品を生産するための金型を作製することを特徴とする、請求項１に記載の非等厚光学レンズの設計方法。
【発明の詳細な説明】
【技術分野】
【０００１】
本出願は、出願日が２０１７年１１月２２日であり、出願番号が２０１７１１１６９８５２３であり、発明の名称が「非等厚光学レンズの設計方法」である中国特許出願の優先権を要求しており、その内容の全部が引用により本出願に組み込まれている。
【０００２】
本発明は、非等厚光学レンズの設計方法に関する。
【背景技術】
【０００３】
レンズは、鏡の心とも言われ、表装した後の画心であり、鏡の枠内に挟み込むのに適しているため、鏡の心と呼ばれる。その形式として横でも縦でもよく、簡単で便利である。近代的な科学技術の発展に伴い、レンズの応用は、すでに各業界および私達の日常生活に深く入り込んでいる。しかし、多くのレンズは、その設計原理によって、厚さを均一に作製されているため、結像が鮮明ではなく、また、収差をなくすことができないといった問題があるなど、その視覚効果は多くの人の要望を満たしていない。
【発明の概要】
【発明が解決しようとする課題】
【０００４】
本発明の目的は、非等厚光学レンズの設計方法を提案し、レンズの入射面と出射面との間の厚さを調整することにより、鮮明に結像し、収差を低減する効果を達成することにある。
【課題を解決するための手段】
【０００５】
上記の目的を達成するために、本発明は、非等厚光学レンズの設計方法であって、
ステップＳ１：光学ソフトウェアにレンズモデルを構築し、前記レンズモデルの大きさを決定し、前記レンズモデルの入射面および出射面の曲率に基づいて前記レンズモデルの所定の厚さを決定することと、
ステップＳ２：前記レンズモデルの入射面から入射して前記レンズモデルの出射面から出射される入射光線をシミュレーションし、入射光線が出射光線と平行であるかを比較することと、
ステップＳ３：前記入射光線が前記出射光線と平行である場合、このレンズの入射面および出射面の曲率と厚さとを記録し、仮レンズ完成品を作成し、前記入射光線が前記出射光線と平行でない場合、前記レンズモデルの入射面と出射面との間の厚さを調整して、前記入射光線が前記出射光線と平行になるようにし、この際のこの入射面および出射面の曲率と厚さとを記録し、仮レンズ完成品を作成することと、
ステップＳ４：光源と受信スクリーンを設置し、光源をオンにし、前記受信スクリーンを前記光源から異なる距離の箇所に置き、受信スクリーンでの光線の位置およびサイズを記録し、前記位置およびサイズが一定であることを確認し、前記仮レンズ完成品を前記光源と受信スクリーンとの間に置き、光源をオンにし、前記受信スクリーンを前記光源から異なる距離の箇所に置き、受信スクリーンでの光線の位置およびサイズを記録して、位置およびサイズが一定であれば、前記仮レンズ完成品をレンズ完成品とし、位置およびサイズが変化すれば、ステップＳ２に戻り、最後に前記仮レンズ完成品を前記光源と受信スクリーンとの間に置いて、受信スクリーンでの光線の位置およびサイズが一定を保つまで、ステップＳ２およびＳ３を繰り返すことと、
を含む。
【０００６】
さらに、前記ステップＳ４において、前記光源は、平行光源であり、前記入射光線は、平行光線である。
【０００７】
さらに、Ｓ３において得られた前記仮レンズ完成品は、レンズ中心部とレンズ周辺部を有し、前記仮レンズ完成品の曲率半径は、前記レンズ中心部から前記レンズ周辺部まで徐々に増加する。
【０００８】
さらに、Ｓ３において得られた前記仮レンズ完成品用の材質は、プラスチックまたはガラスである。
【０００９】
さらに、前記レンズは、非球面レンズであり、前記非球面レンズは、半楕円形、台形の脚が弧状に変形した形状、矩形である。
【００１０】
さらに、光学ソフトウェアにおける最後に作成されたレンズ完成品のモデルに基づいて、当該レンズの最後の完成品を生産するための金型を作製する。
【００１１】
本発明は、レンズの入射面と出射面との間の厚さを調整することにより、入射光線が出射光線と平行になるようにして、鮮明に結像し、収差を低減するという、有益な効果を達成する。
【００１２】
上記の説明は、本発明の技術案の概要にすぎない。本発明の技術的手段をより明確に理解し、実施することができるよう、以下、本発明の好適な実施例に加え、図面と併せて以下のように詳細に説明する。
【図面の簡単な説明】
【００１３】
【図１】本発明の非等厚光学レンズの設計方法のフローチャートである。
【図２ａ】受信スクリーンが光源から０．５ｍの箇所に位置する場合の照度分布である。
【図２ｂ】受信スクリーンが光源から１ｍの箇所に位置する場合の照度分布である。
【図２ｃ】受信スクリーンが光源から２ｍの箇所に位置する場合の照度分布である。
【図３ａ】等厚レンズを示す。
【図３ｂ】光源から等厚レンズを経て０．５ｍ離れた受信スクリーンでの照度分布である。
【図３ｃ】光源から等厚レンズを経て１ｍ離れた受信スクリーンでの照度分布である。
【図３ｄ】光源から等厚レンズを経て２ｍ離れた受信スクリーンでの照度分布である。
【図４ａ】非等厚レンズを示す。
【図４ｂ】光源から非等厚レンズを経て０．５ｍ離れた受信スクリーンでの照度分布である。
【図４ｃ】光源から非等厚レンズを経て１ｍ離れた受信スクリーンでの照度分布である。
【図４ｄ】光源から非等厚レンズを経て２ｍ離れた受信スクリーンでの照度分布である。
【図５】ＡＲ光学マスクレンズの第１立体図である。
【図６】ＡＲ光学マスクレンズの第２立体図である。
【図７】ＡＲ光学マスクレンズの第３立体図である。
【発明を実施するための形態】
【００１４】
以下、添付図面および実施例を基に、本発明の具体的な実施形態をさらに詳細に記載する。以下の実施例は、本発明を説明するために用いられるが、本発明の範囲を制限するためには用いられない。
【００１５】
図１を参照する。本発明の好適な実施例に係る非等厚光学レンズの設計方法は、以下のステップを含む。
Ｓ１：光学ソフトウェアにレンズモデルを構築し、レンズモデルの大きさを決定し、レンズモデルの入射面および出射面の曲率に基づいてレンズモデルの所定の厚さを決定する。
Ｓ２：レンズモデルの入射面から入射してレンズモデルの出射面から出射される入射光線をシミュレーションし、入射光線が出射光線と平行であるかを比較する。
Ｓ３：入射光線が出射光線と平行である場合、このレンズの入射面および出射面の曲率と厚さとを記録し、仮レンズ完成品を作成する。入射光線が出射光線と平行でない場合、レンズモデルの入射面と出射面との間の厚さを調整して、入射光線が出射光線と平行になるようにし、この際のこの入射面および出射面の曲率と厚さとを記録し、仮レンズ完成品を作成する。
Ｓ４：光源と受信スクリーンを設置する。光源をオンにし、受信スクリーンを光源から異なる距離の箇所に置き、受信スクリーンでの光線の位置およびサイズを記録し、位置およびサイズが一定であることを確認する。そして、仮レンズ完成品を光源と受信スクリーンとの間に置き、光源をオンにし、受信スクリーンを光源から異なる距離の箇所に置き、受信スクリーンでの光線の位置およびサイズを記録する。位置およびサイズが一定であれば、仮レンズ完成品をレンズ完成品とする。位置およびサイズが変化すれば、ステップＳ２に戻る。最後に仮レンズ完成品を光源と受信スクリーンとの間に置いて、受信スクリーンでの光線の位置およびサイズが一定を保つまで、ステップＳ２およびＳ３を繰り返す。
【００１６】
本実施例において、光源は、平行光源であり、入射光線は、平行光線である。平行光源として、長さ４０ｍｍの細くて小さく、「口」字型に囲む計４本の光源を設置する。光源をオンにし、光源から０．５ｍ、１ｍ、２ｍ離れた箇所に受信スクリーンを置いて、受信スクリーンでの投射光線パターンの位置およびサイズが変化するかを観察する。光源と受信スクリーンとの間に如何なるものも置かれない場合、投射光線の受信スクリーンでの位置およびサイズは、図２ａ〜図２ｃに示すようになり、受信スクリーンと光源の距離が変化しても、投射光線の受信スクリーンでの位置およびサイズは、いずれも変化しない。
【００１７】
図３ａ〜図３ｄを参照する。光源と受信スクリーンとの間に、厚さ３ｍｍの等厚レンズを置く。光源をオンにし、光源から０．５ｍ、１ｍ、２ｍ離れた箇所に受信スクリーンを置いて、受信スクリーンでの投射光線パターンの位置およびサイズが変化するかを観察する。結果として、光源からの光が平行光線であっても、光線が等厚レンズを通過した後、出射光線は入射光線と平行でなく、しかも受信スクリーンと光源との距離が増大するにつれて、出射光線と入射光線との距離も増大する。さらに、図３ｄに示すように、受信スクリーンが光源から２ｍ離れた場合、一部のエリアの光線は、受信できなくなる。
【００１８】
図４ａ〜図４ｄを参照する。光源と受信スクリーンとの間に、厚さが３ｍｍから２ｍに徐々に変化した非等厚レンズを置く。光源をオンにし、光源から０．５ｍ、１ｍ、２ｍ離れた箇所に受信スクリーンを置いて、受信スクリーンでの投射光線パターンの位置およびサイズが変化するかを観察する。結果として、受信スクリーンと光源との距離が変化しても、投射光線の受信スクリーンでの位置およびサイズは、いずれも変化しない。
【００１９】
もちろん、他の実施例では、レンズの厚さは、他の値であってもよい。
【００２０】
実験結果に基づき、光学ソフトウェアにおける最後に作成されたレンズ完成品のモデルを基に、当該レンズの最後の完成品を生産するための金型を作製し、作製された金型をレンズの大規模な作製に用いる。レンズは、レンズ中心部とレンズ周辺部を有し、レンズの曲率半径は、レンズ中心部からレンズ周辺部まで徐々に増加する。レンズの材質は、プラスチックまたはガラスである。レンズは、非球面レンズであり、非球面レンズは、半楕円形、台形の脚が弧状に変形した形状、矩形である。本実施例において、レンズは、ＡＲ光学マスクレンズである。
【００２１】
ＡＲ光学マスクレンズは、曲面パネル１と曲面パネル１の周縁に沿って均一に分布する複数のバックル２を含む。曲面パネル１は、本体および本体の両側から延伸する円弧部１２を含む。本体と円弧部１２の両方によって、半閉鎖の収容空間が囲まれる。曲面パネル１の厚さと円弧半径は、円弧部１２から本体に向かって順次増大する。円弧部１２の厚さの範囲は、１．３２〜２．３１ｍｍで、かつ本体から離れた一方から本体に近い他方まで、順次増加する。本体の厚さの範囲は、２．３１〜２．３５ｍｍである。本発明のＡＲ光学マスクレンズは、厚さが変化に富んでいるため、厚さの異なる多変曲率（すなわち、自由曲率）のＡＲ光学マスクレンズの設計によって、収差の低減や消去が可能であり、鮮明に結像し、さらに長時間使用してもめまいがしない。
【００２２】
本体は、円弧部１２に接近して設けられた第１本体１１と、円弧部１２から離れて設けられた第２本体１０を含む。第１本体１１の厚さは、円弧部１２に近い一方から、円弧部１２から離れた他方まで、順次増加する。第２本体１０の厚さは、円弧部１２に近い一方から第２本体１０の中心線まで、順次減少する。なお、ここに記載したのは、単に好適な実施例に過ぎない。他の実施例において、屈折率実験により、波状の曲面パネル１が得られる。曲面パネル１の厚さが順次的に増加または減少するのではなく、曲面パネル１を無数のセグメントに分割する。各セグメントは、大きな差がない厚さを有し、各セグメントを組み合わせて波状の曲面パネル１を形成する。例えば、曲面パネルをＮ個のセグメントに分割し、Ｎ−１段目の厚さを値ａとした場合、Ｎ−２段目とＮ段目の厚さは、いずれもａよりも大きくともよく、曲面パネル１の全体としては、順次に増加または減少する。これにより、収差の低減または除去が可能であり、鮮明に結像する。
【００２３】
本体の内壁の曲率半径の範囲は、６．３〜４３２．３ｍｍであり、外壁の曲率半径の範囲は、６．０〜５３１．３ｍｍであり、いずれも第１本体１１の円弧部１２に近い一方から第２本体１０の中心線まで順次増加した後、減少する。円弧部１２の内壁の曲率半径範囲は、６．３〜１１．１ｍｍであり、外壁の曲率半径範囲は、６．０〜１１．５ｍｍであり、いずれも円弧部１２の第１本体１１から離れた一方から第１本体１１に近い他方まで順次減少した後、増加する。厚さと同様に、異なる曲率を離間的に設定しても、対応する厚さに適応することができ、前述の波状の曲面パネル１の線がより滑らかになり、外面の触感が良くなり、より効果的に収差を低減できる。
【００２４】
バックル２は、曲面パネル１から突出するように設けられる。バックル２は、曲面パネル１に対し垂直に伸びる係止ブロックと、係止ブロック側から係止ブロックの内部へ凹む溝を含む。本発明のＡＲ光学マスクレンズは、バックル２の構造により、対応する他のＡＲ光学マスクレンズの部分と嵌合し、構造が簡単で、取り外しが容易で、修理が容易である。
【００２５】
ＡＲ光学マスクレンズは、さらに、曲面パネル１の側壁に開けられた固定穴（符号なし）を含み、固定穴を介してＡＲ光学マスクレンズの他の部分と固定することができる。本発明のＡＲ光学マスクレンズの構造は、簡単で空間利用率が高い。
【００２６】
以上のように、本発明の非等厚光学レンズの設計方法は、レンズの入射面と出射面との間の厚さの調整により、入射光線と出射光線を平行にして、鮮明に結像し、収差を低減する効果を達成し、さらに長時間使用してもめまいがしない。
【００２７】
以上に記載した実施例の各技術的特徴は、任意に組み合わせることができる。記載を簡潔にするために、上記の実施例における各技術的特徴のすべてのあり得る組み合わせについては記載していない。ただし、これらの技術的特徴の組み合わせが矛盾しない限り、すべて本明細書に記載された範囲と見なされるべきである。
【００２８】
以上の記載した実施例は、単に本発明の複数の実施形態のみを表しており、その記載は具体的で詳細であるが、それによって本発明の特許請求の範囲に対する制限として理解されてはならない。なお、当業者にとって、本発明の思想を逸脱しない前提で、更なる複数の変形や改良も可能であり、それらは、すべて本発明の保護範囲に属するものである。したがって、本発明の保護範囲は、添付の特許請求の範囲を基準とするべきである。
【００２９】
（付記）
（付記１）
非等厚光学レンズの設計方法であって、
ステップＳ１：光学ソフトウェアにレンズモデルを構築し、前記レンズモデルの大きさを決定し、前記レンズモデルの入射面および出射面の曲率に基づいて前記レンズモデルの所定の厚さを決定することと、
ステップＳ２：前記レンズモデルの入射面から入射して前記レンズモデルの出射面から出射される入射光線をシミュレーションし、入射光線が出射光線と平行であるかを比較することと、
ステップＳ３：前記入射光線が前記出射光線と平行である場合、このレンズの入射面および出射面の曲率と厚さとを記録し、仮レンズ完成品を作成し、前記入射光線が前記出射光線と平行でない場合、前記レンズモデルの入射面と出射面との間の厚さを調整して、前記入射光線が前記出射光線と平行になるようにし、この際のこの入射面および出射面の曲率と厚さとを記録し、仮レンズ完成品を作成することと、
ステップＳ４：光源と受信スクリーンを設置し、光源をオンにし、前記受信スクリーンを前記光源から異なる距離の箇所に置き、受信スクリーンでの光線の位置およびサイズを記録し、前記位置およびサイズが一定であることを確認し、前記仮レンズ完成品を前記光源と受信スクリーンとの間に置き、光源をオンにし、前記受信スクリーンを前記光源から異なる距離の箇所に置き、受信スクリーンでの光線の位置およびサイズを記録して、位置およびサイズが一定であれば、前記仮レンズ完成品をレンズ完成品とし、位置およびサイズが変化すれば、ステップＳ２に戻り、最後に前記仮レンズ完成品を前記光源と受信スクリーンとの間に置いて、受信スクリーンでの光線の位置およびサイズが一定を保つまで、ステップＳ２およびＳ３を繰り返すことと、
を含むことを特徴とする、非等厚光学レンズの設計方法。
【００３０】
（付記２）
前記ステップＳ４において、前記光源は、平行光源であり、前記入射光線は、平行光線であることを特徴とする、付記１に記載の非等厚光学レンズの設計方法。
【００３１】
（付記３）
Ｓ３において得られた前記仮レンズ完成品は、レンズ中心部とレンズ周辺部を有し、前記仮レンズ完成品の曲率半径は、前記レンズ中心部から前記レンズ周辺部まで徐々に増加することを特徴とする、付記１に記載の非等厚光学レンズの設計方法。
【００３２】
（付記４）
Ｓ３において得られた前記仮レンズ完成品用の材質は、プラスチックまたはガラスであることを特徴とする、付記３に記載の非等厚光学レンズの設計方法。
【００３３】
（付記５）
前記レンズは、非球面レンズであり、前記非球面レンズは、半楕円形、台形の脚が弧状に変形した形状、矩形であることを特徴とする、付記３に記載の非等厚光学レンズの設計方法。
【００３４】
（付記６）
光学ソフトウェアにおける最後に作成されたレンズ完成品のモデルに基づいて、当該レンズの最後の完成品を生産するための金型を作製することを特徴とする、付記１に記載の非等厚光学レンズの設計方法。
【図１】
2021504764.tif 000003
【図２ａ】
2021504764.tif 000004
【図２ｂ】
2021504764.tif 000005
【図２ｃ】
2021504764.tif 000006
【図３ａ】
2021504764.tif 000007
【図３ｂ】
2021504764.tif 000008
【図３ｃ】
2021504764.tif 000009
【図３ｄ】
2021504764.tif 000010
【図４ａ】
2021504764.tif 000011
【図４ｂ】
2021504764.tif 000012
【図４ｃ】
2021504764.tif 000013
【図４ｄ】
2021504764.tif 000014
【図５】
2021504764.tif 000015
【図６】
2021504764.tif 000016
【図７】
2021504764.tif 000017
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
非等厚光学レンズの設計方法であって、
ステップＳ１：光学ソフトウェアにレンズモデルを構築し、前記レンズモデルの大きさを決定し、前記レンズモデルの入射面および出射面の曲率に基づいて前記レンズモデルの所定の厚さを決定することと、
ステップＳ２：前記レンズモデルの入射面から入射して前記レンズモデルの出射面から出射される入射光線を前記光学ソフトウェアによりシミュレーションし、該入射光線が出射光線と平行であるかを比較することと、
ステップＳ３：前記入射光線が前記出射光線と平行である場合、前記レンズモデルの入射面および出射面の曲率と厚さとを記録し、仮レンズ完成品を作成し、前記入射光線が前記出射光線と平行でない場合、前記レンズモデルの入射面と出射面との間の厚さを調整して、前記入射光線が前記出射光線と平行になるようにし、この際のこの入射面および出射面の曲率と厚さとを記録し、仮レンズ完成品を作成することと、
ステップＳ４：前記光学ソフトウェアに光源と受信スクリーンを設置し、前記光源をオンにし、前記受信スクリーンを前記光源から異なる距離の箇所に置き、前記受信スクリーンでの光線の位置およびサイズを記録し、前記位置および前記サイズが一定であることを確認し、前記仮レンズ完成品を前記光源と前記受信スクリーンとの間に置き、前記光源をオンにし、前記受信スクリーンを前記光源から異なる距離の箇所に置き、前記受信スクリーンでの光線の位置およびサイズを記録して、位置およびサイズが一定であれば、前記仮レンズ完成品をレンズ完成品とし、位置およびサイズが変化すれば、前記ステップＳ２に戻り、最後に前記仮レンズ完成品を前記光源と前記受信スクリーンとの間に置いて、前記受信スクリーンでの光線の位置およびサイズが一定を保つまで、前記ステップＳ２および前記ステップＳ３を繰り返すことと、
を含むことを特徴とする、非等厚光学レンズの設計方法。
【請求項２】
前記ステップＳ４において、前記光源は、平行光源であり、前記入射光線は、平行光線であることを特徴とする、請求項１に記載の非等厚光学レンズの設計方法。
【請求項３】
前記ステップＳ３において得られた前記仮レンズ完成品は、レンズ中心部とレンズ周辺部を有し、前記仮レンズ完成品の曲率半径は、前記レンズ中心部から前記レンズ周辺部まで徐々に増加することを特徴とする、請求項１に記載の非等厚光学レンズの設計方法。
【請求項４】
前記ステップＳ３において得られた前記仮レンズ完成品の材質は、プラスチックまたはガラスであることを特徴とする、請求項３に記載の非等厚光学レンズの設計方法。
【請求項５】
前記非等厚光学レンズは、非球面レンズであり、半楕円形と台形の脚が弧状に変形した形状と矩形のうちのいずれかの形状であることを特徴とする、請求項３に記載の非等厚光学レンズの設計方法。
【請求項６】
前記光学ソフトウェアにおける最後に作成された前記レンズ完成品のモデルに基づいて、前記非等厚光学レンズの最後の完成品を生産するための金型を作製することを特徴とする、請求項１に記載の非等厚光学レンズの設計方法。
【手続補正２】
【補正対象書類名】図面
【補正対象項目名】図３ａ
【補正方法】変更
【補正の内容】
【図３ａ】
2021504764.tif 000018
【手続補正３】
【補正対象書類名】図面
【補正対象項目名】図４ａ
【補正方法】変更
【補正の内容】
【図４ａ】
2021504764.tif 000019
【国際調査報告】
2021504764.tif 000020
2021504764.tif 000021
2021504764.tif 000022
2021504764.tif 000023
2021504764.tif 000024